(57)【要約】      （修正有）【課題】屋根の端に沿って複数の化粧板を一体に接続して取り付けるにあたり、より少ない部材及び作業工数で化粧板を取り付けることができ、化粧板同士の接続部から雨水が浸入することのないようにする。【解決手段】座板２１上に、棟側化粧板の端部が嵌入する差込部２４と、軒側化粧板の端部が嵌入する差込部２４と、両差込部を隔てる仕切壁とを設けた構成を有する継手体２をケラバ４に固定し、棟、軒何れかの側の化粧板１の一端部を継手体２の一方の差込部２４に嵌め入れるるとともにその他端部を屋根に固定し、次いで他側の化粧板１の一端部を継手体２の他方の差込部２４に嵌め入れるとともにその他端部を屋根に固定する。【選択図】図４
2005307545.tif 000002
【特許請求の範囲】
【請求項１】
屋根の側端に接合固定される座板上に、棟側化粧板の端部が嵌入する差込部と、軒側化粧板の端部が嵌入する差込部と、両差込部を隔てる仕切壁とを設けた構成を有する化粧板の継手体。
【請求項２】
両側に化粧板の端部が嵌入する差込部が設けられた継手体を屋根の側端に固定し、棟、軒何れかの側の化粧板の一端部を継手体の一方の差込部に嵌め入れるるとともにその他端部を屋根に固定し、次いで他側の化粧板の一端部を継手体の他方の差込部に嵌め入れるとともにその他端部を屋根に固定する化粧板の取り付け構造。
【発明の詳細な説明】
【技術分野】
【０００１】
本発明は、屋根の端に沿って取り付けられる化粧板同士を一体に接続するための継手体と、これを用いた化粧板の取り付け構造に関する。
【背景技術】
【０００２】
家屋の切妻屋根廻りの造作において、妻側の側端部を装飾するため、屋根の端に沿って、鋼板を破風板状に折り曲げてなる化粧板を取り付けることがある。
この化粧板は、例えば図６に示されるように、先端部が閉塞した軒側化粧板６１と、断面コ字状に屈曲した棟側化粧板６２からなり、屋根の端に沿って両化粧板を一体に取り付けることにより、棟から軒に亘り破風板が取り付けられた如き外観に納めるように構成されている。
両化粧板の取り付けは、屋根のケラバに沿って複数箇所に装着具６３を取り付けた状態で、最初に軒側化粧板６１を装着具６３に装着しビス止めして固定し、次いで棟側化粧板６２を装着具６１に装着しビス止めして固定する順序で行われ、また、軒側化粧板６１の端部に段差を付けて設けられた継手口６１ａに、軒側化粧板６２の端部を嵌め被せることで、化粧板６１、６２の端部同士を面一に接合して一体に接続するようになっていた（例えば特許文献１参照）。
【０００３】
【特許文献１】特開平２００２−２４２３９４号公報
【発明の開示】
【発明が解決しようとする課題】
【０００４】
化粧板を取り付ける従来の工法では、複数の装着具６３をケラバに取り付け、これらに化粧板６１、６２を装着しその外面からビスを打ち込んで固定しており、取り付けに要する作業工数は少なくなかった。
また、最初に軒側化粧板６１、次いで棟側化粧板６２の順で取り付ける制約を受け、屋根周りを高位の棟側から低位の軒側の順に効率的に施工することができなかった。
さらに、軒側化粧板６１と棟側化粧板６２の接続部は、継手口６１ａに棟側化粧板６２の端部を嵌め被せてあるだけなので、棟側化粧板６２の表面を伝い流れる雨水が嵌め被せた接合面部間を通って化粧板の内側に入り込み易く、化粧板を内側から腐食させる原因となっていた。また、化粧板外面からビスを打ち込んだ部分からも雨水が浸入し易く、この部分を防水処理しておく必要もあった。
【０００５】
本発明は従来技術の有するこのような問題点に鑑み、屋根の端に沿って複数の化粧板を一体に接続して取り付けるにあたり、より少ない部材及び作業工数で化粧板を取り付けることができ、化粧板同士の接続部から化粧板の内側に雨水が浸入することのないようにすることを課題とする。
【課題を解決するための手段】
【０００６】
前記課題を解決するため本発明は、屋根の端に化粧板を取り付けるにあたり、屋根の側端に接合固定される座板上に、棟側化粧板の端部が嵌入する差込部と、軒側化粧板の端部が嵌入する差込部と、両差込部を隔てる仕切壁とを設けた構成を有する継手体を用いて、化粧板の端部同士を接続することを特徴とする。
【０００７】
前記構成の継手体を用いた化粧板の取り付けは、屋根の側端に継手体を固定し、棟、軒何れかの側の化粧板の一端部を継手体の一方の差込部に嵌め入れるるとともにその他端部を屋根に固定し、次いで他側の化粧板の一端部を継手体の他方の差込部に嵌め入れるとともにその他端部を屋根に固定して行うことができる。
【０００８】
これによれば、棟側と軒側の両化粧板は、それぞれ端部を継手体の差込部に嵌入させ、端部同士を一体に接続して固定される。差込部に嵌入させた化粧板の端部は、その周面が差込部内面に密接し、端部は差込部で覆われて外部に露出してはいないので、化粧板表面を伝い流れる雨水は差込部内に滲入することなくそのまま継手体表面を伝って流れ落ち、化粧板の端部から化粧板内側に雨水が入り込むことはない。
また、化粧板は、継手体の差込部に一方の端部を嵌入することにより当該端部側が固定され、他方の端部側を屋根に固定することで取り付けられる。従って、従来使われていた複数の装着具は不要であり、化粧板の両端において嵌入作業と固定作業を行って、化粧板を簡易に取り付けることができる。装着具を使用しないため、化粧板外面からのビス打ちも不要である。
さらに、化粧板を取り付けるにあたり、最初に屋根の側端に継手体を固定することで、棟側と軒側それぞれに取り付ける化粧板の端部取り付け位置が位置決めされ、また、両側の化粧板の端部はそれぞれ独立して継手体に接続し、従来のように端部同士を重ねて接続しなくてもよいので、化粧板を取り付ける順序の制約はなく、棟側、軒側何れの側からでも化粧板を取り付けることができ、屋根周りの施工を効率的に行うことが可能となる。
【発明を実施するための最良の形態】
【０００９】
本発明の好適な一実施形態を図面を参照して説明する。
図１は本発明の継手体を用いて化粧板を取り付けた屋根の妻側外観図、図２は図１の軒側化粧板の構成部材を展開して示した外観図、図３は図１の継手体の表裏両側外観図と要部を破断して示した正面図、図４は化粧板を取り付ける手順を示す屋根端部の断面図、図５は棟側化粧板の棟側端部の構成部材を展開して示した図である。
【００１０】
図１に示されるように、この形態は、切妻屋根のケラバに破風板状の化粧板を取り付けて屋根の側端を装飾する場合の実施例であり、図中、符号Ｒは屋根、Ｇａは妻、Ｇuは軒樋、１は化粧板、２は継手体をそれぞれ示している。
【００１１】
化粧板１は、屋根の軒側に取り付けられる軒側化粧板１Ａと、棟側に取り付けられる棟側化粧板１Ｂからなり、それぞれ長尺鋼板を折り曲げて形成されている。
詳しくは、図２に示されるように、化粧板１は、横長矩形状に延びた外面部１ａの上下縁部に直角に曲がった上面部１ｂと下面部１ｃを連ね、上面部１ｂの端部に下方にＬ字形に屈曲した内折部１ｄを設け、下面部１ｃの端部に内折部１ｄと向き合って上方に立ち上がり且つ内方に屈曲した部分を介して下面部１ｃと平行に側方へ適宜な長さ突出した外折部１ｅを設けて、断面が略々コ字状を呈するように長手方向に沿って屈曲させてある。
また、同図に示されるように、軒側化粧板１Ａは、その先端部側の外折部１ｅが適宜な幅で切り欠かれ、その部分に鼻隠し（図示せず）と連結する端部取付板１１が取り付けられるようになっている。また、軒側化粧板１Ａは、端部取付板１１を取り付けた状態で、矩形に開口した先端部分に先端キャップ１２が取り付けられて先端部が閉塞され、上面部１ｂには化粧板を伝い流れる雨水を軒樋へと導く雨垂れ防止板１３が取り付けられる。
【００１２】
継手体２は、図３に示されるように、プラスチックを用い、屋根の側端部に接合固定される座板２１の上面に、化粧板１の端部が嵌入する差込部２４、２４を一体に設けて形成されている。
詳しくは、座板２１は、ケラバの上面、側面及び下面に接合するようにコ字状に屈曲した適宜な幅の上部座板２１ａと、上部座板２１ａよりも小幅で上部座板２１ａの下端中央から下方に突出した下部座板２１ｂからなり、下部座板２１は、さらに上部座板２１ａの上面と同じ長さだけ後方へ折れ曲がるとともにその端部を上方へ屈曲させてある。これら上下の座板は化粧板１と同じ輪郭で屈曲させてあり、その表面に化粧板１の前記外面部１ａ、上面部１ｂ、下面部１ｃ、内折部１ｄ及び外折部１ｅの各面部がぴったりと密着して重ね合わさるように設けてある。
座板２１の表面中央には、化粧板１の厚みと略同じ寸法の高さに突出した仕切壁２２が座板２１の縦方向両端に亘って設けられ、さらに仕切壁２２の上端には、その両側に下部座板２１ｂよりも小さな幅で座板２１と平行に張り出した突片２３が設けられている。この仕切壁２２と突片２３は、化粧板１の端部が嵌入可能な凹部である差込部２４、２４を構成し、図３（Ｃ）に示されるように、当該差込部内に化粧板１の端部を差し入れ、凹部内面に端部周面を密接に嵌合させて、化粧板１の端部を支持し固定できるようになっている。
また、上部座板２１ａの表面には固着具で固定するための複数の取付孔２５が形成されており、下部座板２１ｂの裏面は仕切面２６によって左右に仕切ってある。
【００１３】
継手体２を用いた化粧板１の取り付けは以下の手順で行われる。
先ず、図４（Ａ）に示されるように、屋根Ｒの野地板４１の端部に角材４２を固着して、化粧板１を取り付けるケラバ４を構成する。ケラバ４は、その表面に耐水シート４３を敷くとともに、角材４２の表面に沿って屋根上面にＬ字形に屈曲した水切り板４４を配し、これを吊り子４５で固定して防水処理が施される。
次に、同図（Ｂ）に示されるように、継手体２をケラバ４に取り付ける。継手体２は、ケラバ４に沿って軒側化粧板１Ａと棟側化粧板１Ｂを取り付けた際に、両化粧板の端部同士が接続する位置に取り付けられ、各取付孔２５からネジなどの固着具３をケラバ４の側面にネジ入れて固定される。ケラバ４に固定された継手体２は、上部座板２１ａの裏面、上面及び下面がそれぞれケラバ４の側面、上面及び下面に接合する。
継手体２が取り付けられたならば、化粧板１をケラバ４に取り付ける。化粧板１の取り付けは、軒側、棟側何れの側から行ってもよく、化粧板１の継手体２に接合する側の端部を、継手体２の差込部２４に差し入れ、当該端部が仕切壁２２に当たるまで押し込んで嵌め入れた後、他方の端部を屋根に固定する手順で行われる。
軒側化粧板１Ａは、その後端部を継手体２の差込部２４に嵌め入れて固定するとともに、軒側に突出した先端側の端部取付板１１を鼻隠しに連結し先端部を固定して取り付けられる。また、棟側化粧板１Ｂは、同様にその軒側の端部を継手体２の差込部２４に嵌め入れて固定するとともに、図５に示されるように、棟側の端部を固定部材１４ａ、１４ｂ、１４ｃで軒の端面に一体に組み付け固定して取り付けられる。
ケラバ４に取り付けられた化粧板１は、図４（Ｃ）に示されるように、上面部１ｂの下折れ部と水切り板４４の上端部を固着具３で一体に固定し、ケラバ４の下方に回りこんでケラバ４の下面に接合する外折部１ｅが固着具３で一体に固定される。
化粧板１がケラバ４に沿って取り付けられたならば、屋根Ｒにスレート５又は瓦が設置され、鼻隠しには軒樋Ｇｕが取り付けられる。
【００１４】
このように本発明によれば、化粧板は、継手体の差込部に端部を嵌入することにより当該端部側が固定され、他端部側を家屋に固定することで取り付けられるので、化粧板の両端において嵌入及び固定作業を行って、化粧板を簡易に取り付けることができる。また、棟側、軒側何れの側からでも化粧板を取り付けることができるので、施工状況などに応じて、屋根周りの施工を効率的に行うことが可能である。さらに、軒側と棟側の化粧板はそれぞれ端部を継手体の差込部内に密接に嵌め入れてあるので、化粧板表面を伝い流れる雨水は差込部内に滲入することなくそのまま継手体表面を伝って流れ落ち、化粧板の端部から化粧板内側に雨水が入り込むことを防止する。
【００１５】
なお、図示した化粧板及び継手体の形態は一例であり、本発明は図示した形態に限定されず、他の適宜な形態に構成可能である。
【図面の簡単な説明】
【００１６】
【図１】本発明の一実施形態の継手体を用いて化粧板を取り付けた屋根の妻側外観図である。
【図２】図１の軒側化粧板の構成部材を展開して示した外観図である。
【図３】図１の継手体の表裏両側外観図（Ａ）と要部を破断して示した正面図（Ｂ）である。
【図４】（Ａ）〜（Ｃ）は化粧板を取り付ける手順を示す屋根端部の断面図である。
【図５】棟側化粧板の棟側端部の構成部材を展開して示した図である。
【図６】（Ａ）は従来の化粧板の外観図、（Ｂ）はこれを軒側に取り付ける状態を示した図である。
【符号の説明】
【００１７】
１  化粧板、１Ａ  軒側化粧板、１Ｂ  棟側化粧板、２  継手体、２１  座板、２２  仕切壁、２３  突片、２４  差込部、３  固着具、４  ケラバ、５ スレート
【図１】
2005307545.tif 000003
【図２】
2005307545.tif 000004
【図３】
2005307545.tif 000005
【図４】
2005307545.tif 000006
【図５】
2005307545.tif 000007
【図６】
2005307545.tif 000008